(57)【要約】  本開示は、カバレッジホール［１２０］に効果的にサービスするべく、サービス基地局［１０２］のセルパラメータを自動的に最適化することに関する。一実施形態においては、システム［２００］は、少なくとも１つのサービス基地局［１０２］の、少なくとも１つの第１パラメータ、少なくとも１つの第２パラメータ、少なくとも１つのネットワーク性能パラメータ、及び少なくとも１つのセルパラメータなどのパラメータを受け取っている。更には、少なくとも１つのネットワーク性能パラメータに基づいて、少なくとも１つのカバレッジホール［１２０］が、（複数のセクタを収容する）カバレッジエリア［１１０］から識別されており、この場合に、カバレッジエリア［１１０］は、少なくとも１つのサービス基地局［１０２］によってサービスされている。その後に、少なくとも１つのセルパラメータの第１最適化が実行され、且つ、その後に、少なくとも１つの第２パラメータの第１値が判定されている。更には、第１最適化が不成功である場合には、第２最適化が実行されている。
2021524168.tif 000002
【特許請求の範囲】
【請求項１】
少なくとも１つのカバレッジホール［１２０］にサービスするべく、少なくとも１つのサービス基地局［１０２］の少なくとも１つのセルパラメータを自動的に最適化する方法［３００］であって、
−前記少なくとも１つのサービス基地局［１０２］の、少なくとも１つの第１パラメータ、少なくとも１つの第２パラメータ、少なくとも１つのネットワーク性能パラメータ、及び少なくとも１つのセルパラメータを受け取るステップであって、前記少なくとも１つの第２パラメータは、ＲＦカバレッジパワー（ＲＳＲＰ）及び信号対干渉ノイズ比（ＳＩＮＲ）のうちの少なくとも１つを有する、ステップと、
−前記少なくとも１つのサービス基地局［１０２］によってサービスされているカバレッジエリア［１１０］から、前記少なくとも１つのカバレッジホール［１２０］を識別するステップであって、
前記少なくとも１つのカバレッジホール［１２０］は、前記カバレッジエリア［１１０］の前記少なくとも１つのネットワーク性能パラメータに基づいて識別され、且つ、
前記カバレッジホール［１２０］は、前記少なくとも１つのサービス基地局［１０２］によって不十分にサービスされている、ステップと、
−前記少なくとも１つのサービス基地局［１０２］の前記少なくとも１つの第２パラメータの現時点の値を判定するステップであって、前記現時点の値は、前記少なくとも１つのカバレッジホール［１２０］について判定されている、ステップと、
−前記少なくとも１つのカバレッジホール［１２０］にサービスするべく、前記少なくとも１つのサービス基地局［１０２］の前記少なくとも１つのセルパラメータの第１最適化を実行するステップであって、前記第１最適化は、前記現時点の値及び前記少なくとも１つのネットワーク性能パラメータのうちの少なくとも１つに基づいて実行されている、ステップと、
−前記第１最適化が実行された場合に、前記少なくとも１つのサービス基地局［１０２］の前記少なくとも１つの第２パラメータの第１値を判定するステップと、
−前記第１値と前記少なくとも１つの第２パラメータのターゲット値の比較に基づいて前記第１最適化の最適化状態を生成するステップであって、前記状態は、成功した最適化と不成功の最適化のうちの１つを通知している、ステップと、
−前記少なくとも１つのカバレッジホール［１２０］にサービスするべく、前記少なくとも１つのサービス基地局［１０２］の前記少なくとも１つのセルパラメータの第２最適化を実行するステップであって、前記第２最適化は、前記最適化状態が前記不成功な最適化を通知している場合に、実行される、ステップと、
を有する方法［３００］。
【請求項２】
重みを前記カバレッジエリア［１１０］の複数のセクタのそれぞれに対して割り当てるステップを更に有し、前記重みは、前記複数のセクタのそれぞれのものの前記少なくとも１つのネットワーク性能パラメータに基づいて割り当てられている請求項１に記載の方法［３００］。
【請求項３】
トラフィックレポートを生成するステップを更に有し、
前記トラフィックレポートは、前記割り当てられた重みを有する前記複数のセクタと、前記複数のセクタのそれぞれのものの少なくとも１つのネットワーク性能パラメータと、を表しており、且つ、
前記トラフィックレポートは、ユーザー装置トレースデータに基づいたマップのうちの１つ内において生成されている請求項１に記載の方法［３００］。
【請求項４】
前記少なくとも１つの第１パラメータ、前記少なくとも１つの第２パラメータ、前記少なくとも１つのネットワーク性能パラメータ、及び前記少なくとも１つのセルパラメータを監視するステップを更に有する請求項１に記載の方法［３００］。
【請求項５】
前記少なくとも１つの第１パラメータ、前記少なくとも１つの第２パラメータ、前記少なくとも１つのネットワーク性能パラメータ、及び前記少なくとも１つのセルパラメータは、ＬＴＥシステムマネージャ［２１０］とユーザー装置［１０６］のうちの少なくとも１つから受け取られている請求項１に記載の方法［３００］。
【請求項６】
前記少なくとも１つの第１パラメータは、ドライブ試験計測データ、基準信号（ＲＳ）強度、ＭＣＳ、通話ドロップレート、前記少なくとも１つのサービス基地局［１０２］のカバレッジ、前記少なくとも１つのサービス基地局［１０２］のキャパシティ、前記少なくとも１つのサービス基地局［１０２］のＱＯＳ、アンテナ高さ、アンテナ幅、方位角、アンテナビーム幅、前記少なくとも１つのサービス基地局［１０２］のリソース利用率、及び物理セルアイデンティティのうちの少なくとも１つを有する請求項１に記載の方法［３００］。
【請求項７】
前記少なくとも１つの第２パラメータは、基準信号受信品質（ＲＳＲＱ）、前記少なくとも１つのサービス基地局［１０２］の物理セルＩＤ（ＰＣＩ）、前記少なくとも１つのサービス基地局［１０２］のジオロケーション、緯度、及び経度のうちの少なくとも１つを更に有する請求項１に記載の方法［３００］。
【請求項８】
前記少なくとも１つのセルパラメータは、電気チルト、機械チルト、及びパワー減衰のうちの少なくとも１つを有する請求項１に記載の方法［３００］。
【請求項９】
前記少なくとも１つのネットワーク性能パラメータは、アクティブユーザーの数、ＲＲＣ接続ユーザー、セル有効ＤＬスループット、セル有効ＵＬスループット、チャネル品質インジケータ（ＣＱＩ）、及びＰＲＢ利用百分率のうちの少なくとも１つを有する請求項１に記載の方法［３００］。
【請求項１０】
前記少なくとも１つの第２パラメータの前記現時点の値は、前記最適化前の前記少なくとも１つの第２パラメータの値に対応している請求項１に記載の方法［３００］。
【請求項１１】
前記第１値及び前記第２値は、最適化後の前記少なくとも１つの第２パラメータの値に対応している請求項１に記載の方法［３００］。
【請求項１２】
前記少なくとも１つの第２パラメータの前記ターゲット値は、前記少なくとも１つの第２パラメータの前記現時点の値に基づいて定義されている請求項１に記載の方法［３００］。
【請求項１３】
少なくとも１つのカバレッジホール［１２０］にサービスするべく、少なくとも１つのサービス基地局［１０２］の少なくとも１つのセルパラメータを自動的に最適化するシステム［２００］であって、
−前記少なくとも１つのサービス基地局［１０２］の、少なくとも１つの第１パラメータ、少なくとも１つの第２パラメータ、少なくとも１つのネットワーク性能パラメータ、及び少なくとも１つのセルパラメータを受け取るように構成された入力ユニット［２０２］であって、前記少なくとも１つの第２パラメータは、ＲＦカバレッジパワー（ＲＳＲＰ）及び信号対干渉ノイズ比（ＳＩＮＲ）のうちの少なくとも１つを有する、入力ユニットと、
−最適化ユニット［２０６］であって、
前記少なくとも１つのカバレッジホール［１２０］が、前記カバレッジエリア［１１０］の前記少なくとも１つのネットワーク性能パラメータに基づいて識別され、且つ、
前記カバレッジホール［１２０］が、前記少なくとも１つのサービス基地局［１０２］によって不十分にサービスされている状態において、
前記少なくとも１つのサービス基地局［１０２］によってサービスされているカバレッジエリア［１１０］から前記少なくとも１つのカバレッジホール［１２０］を識別するように、
前記少なくとも１つのサービス基地局［１０２］の前記少なくとも１つの第２パラメータの現時点の値が、前記少なくとも１つのカバレッジホール［１２０］について判定される状態において、前記現時点の値を判定するように、
前記少なくとも１つのサービス基地局［１１２］の前記少なくとも１つのセルパラメータの第１最適化が、前記現時点の値及び前記少なくとも１つのネットワーク性能パラメータのうちの少なくとも１つに基づいて実行される状態において、前記少なくとも１つのカバレッジホール［１２０］にサービスするべく、前記第１最適化を実行するように、
前記第１最適化が実行された場合に、前記少なくとも１つのサービス基地局［１０２］の前記少なくとも１つの第２パラメータの第１値を判定するように、
前記第１最適化の最適化状態が、成功した最適化及び不成功の最適化のうちの１つを通知する状態において、前記少なくとも１つの第２パラメータの前記第１値及びターゲット値の比較に基づいて、前記最適化状態を生成するように、
前記少なくとも１つのサービス基地局［１０２］の前記少なくとも１つのセルパラメータの第２最適化が、前記最適化状態が前記不成功な最適化を通知している場合に、実行される状態において、前記少なくとも１つのカバレッジホール［１２０］にサービスするべく、前記第２最適化を実行するように、
構成された最適化ユニットと、
を有するシステム。
【請求項１４】
−重みが、前記複数のセクタのそれぞれのものの前記少なくとも１つのネットワーク性能パラメータに基づいて割り当てられる状態において、前記重みを前記カバレッジエリア［１１０］の複数のセクタのそれぞれに割り当てるように、且つ、
−トラフィックレポートが、前記割り当てられた重みを有する前記複数のセクタと、前記複数のセクタのそれぞれのものの少なくとも１つのネットワー性能パラメータと、を表しており、且つ、
前記トラフィックレポートが、ユーザー装置トレースデータに基づいたマップのうちの１つにおいて生成される状態において、
前記トラフィックレポートを生成するように、
構成された加重型のトラフィックユニット［２０４］を更に有する請求項１３に記載のシステム［２００］。
【請求項１５】
前記最適化ユニット［２０６］は、前記少なくとも１つの第１パラメータ、前記少なくとも１つの第２パラメータ、前記少なくとも１つのネットワーク性能パラメータ、及び前記少なくとも１つのセルパラメータを監視するよう更に構成されている請求項１３に記載のシステム［２００］。
【発明の詳細な説明】
【技術分野】
【０００１】
本開示の実施形態は、一般に、無線セルラーネットワークに関する。更に詳しくは、本開示の実施形態は、１つ又は複数のカバレッジホールに（効果的に）サービスするべく、１つ又は複数のサービス基地局の１つ又は複数のセルパラメータを自動的に最適化するシステム及び方法に関する。
【背景技術】
【０００２】
無線通信（ＧＭＳ、ＥＤＧＥ、ＨＳＰＡ、ＬＴＥなどのようなもの）における進歩に伴って、利用可能なネットワークリソースを共有することにより、複数のユーザーのための通信をサポートするべく、且つ、音声、ビデオ、データ、広告、コンテンツ、メッセージング、ブロードキャストなどのような通信サービスを同時に提供するべく、複数のアクセスポイントを有する無線ネットワークが広範囲に配備されている。このようなネットワークの１つが、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）であり、これは、３ＧＰＰリリース５以降において規定されているＵＭＴＳ及びＨＳＤＰＡ／ＨＳＵＰＡ技術の後継と見なされている無線アクセスネットワークである。Ｅ−ＵＴＲＡは、モバイルネットワーク用の３ＧＰＰのＬＴＥ（Ｌｏｎｇ  Ｔｅｒｍ  Ｅｖｏｌｕｔｉｏｎ）アップグレードパスの無線インターフェイスである。又、ＬＴＥのＥ−ＵＴＲＡは、まったく新しい無線インターフェイスシステムであり、且つ、ＨＳＰＡとは異なり、相対的に大きなデータレート、相対的に小さなレイテンシーを提供し、且つ、パケットサイズについて最適化されている。同様に、ＵＭＴＳ（ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）の後継）も、Ｗ−ＣＤＭＡ、ＴＤ−ＣＤＭＡ、及びＴＤ−ＳＣＤＭＡなどの様々な無線インターフェイス規格をサポートするのみならず、相対的に大きなデータ転送速度及びキャパシティを関連するＵＭＴＳネットワークに提供するＨＳＰＡ（Ｈｉｇｈ  Ｓｐｅｅｄ  Ｐａｃｋｅｔ  Ａｃｃｅｓｓ）などの改善された３Ｇデータ通信プロトコルをサポートしている。
【０００３】
但し、相対的に大きなデータ転送速度及びキャパシティを提供する一方で、セルの最適化と関連する様々な問題点が存在している。従って、４Ｇセルラー配備は、ターゲットエリアに跨ってカバレッジ及びキャパシティの解決策を提供するように構成されたその他の小さなセルと共に、様々なマクロセルを有する。この結果、特に、バンド４０を有するＬＴＥネットワークの場合に、サイト間距離が、２Ｇ／３Ｇラジオアクセスネットワークよりも狭くなる（これは、（非特許文献１）において、Ｍａｒｔｉｎ  Ｓａｕｔｅｒによっても示唆されている）。又、ＬＴＥネットワーク内における進行中のデータ需要を軽減するべく、相対的に多くの数のサイト／ｅＮｏｄｅＢが必要とされており、この結果、大規模な都市において、超高密度無線アクセスネットワークがもたらされる（これは、（非特許文献２）において、Ｊｏｈｎｓｏｎ  Ｉ  Ａｇｂｉｎｙａ、Ｍａｒｉ  Ｃａｒｍｅｎ  Ａｇｕａｙｏ−Ｔｏｒｒｅｓ、Ｒｙｓｚａｒｄ  Ｋｌｅｍｐｏｕｓ  及びＪａｎ  Ｎｉｋｏｄｅｍによっても、示唆されている）。
【０００４】
３ＧＰＰ仕様によれば、無線ネットワーク内の乏しいカバレッジのエリア／カバレッジホールは、（ｉ）パイロット信号強度が、ネットワークに対するアクセスを維持するべくユーザー装置（ＵＥ）によって必要とされる閾値未満であり、或いは、（ｉｉ）サービスしている且つ隣接している両方のセルのＳＩＮＲが、基本的サービスを維持するべく必要とされているレベル未満である、乏しいＲＦカバレッジ及びＲＦ品質を有するエリアと定義することができる。カバレッジホールは、（新しい建物及び丘などの）物理的な障害物、不適切なアンテナパラメータ、又は不十分な高周波（ＲＦ）計画によって生成されうる。具体的には、サービスセル／基地局は、カバレッジホール内においては、十分なカバレッジをＵＥに提供することができない。従って、カバレッジホール内においては、ＵＥによって経験されるセルラーネットワークの信号強度は、接続を維持するには不十分なものであり、且つ、代替３ＧＰＰ−ＬＴＥセルからのカバレッジも存在してはいない。この結果、ＵＥは、ネットワークへの参加又はハンドオーバーを実施することができず、且つ、従って、通話ドロップ及び無線リンク障害（ＲＬＦ：Ｒａｄｉｏ  Ｌｉｎｋ  Ｆａｉｌｕｒｅ）を経験しうる。
【０００５】
更には、近接離隔したマクロｅＮｏｄｅＢを有する高密度ＬＴＥネットワーク内においては、キャパシティ増強要件／需要を充足するべく、複数のサーバーが、ほとんどすべてのエリア内において存在しているが、前記複数のサーバーは、干渉を生成し、且つ、結果的に、ネットワークの全体品質を劣化させる。更には、エリア内において同時にサービスされる端末の数が増大するのに伴って、チャネルのノイズが増加し、これによっても、全体チャネル品質が劣化する。従って、乏しいＲＦ品質は、ネットワーク性能を劣化させ、且つ、ユーザー経験を悪化させる。
【０００６】
従って、ネットワークを最適化する、且つ、ネットワーク性能を改善する、ためのいくつかの既知の最適化技法が存在している。このような最適化技法の１つにおいては、ドライブ試験計測が実行されており、この場合には、計測サンプルが、乏しいＲＳＲＰ及び乏しいＳＩＮＲエリアを識別するべく、地理的な事後処理ツール上においてプロットされている。又、識別された乏しいエリア内のサーバーを識別するべく、そのエリア内においてサービスしているセルもプロットされており、その結果、望ましいエリア内において乏しい品質を結果的にもたらしているセルが、最適化のために検討され、これに後続しているのが、事業者によって定義されたプロセスに基づいた物理的な変更である。従って、ネットワークは、ドライブ試験計測のみに基づいて、最適化されている。又、ドライブ試験計測に対するサービス事業者の依存性により、前記既存の最適化技法は、費用を所要するのみならず、時間をも消費するものになっている。従って、前記ドライブ試験に基づいた最適化技法は、いくつかのシナリオにおいて、日々のドライブ試験データの利用不能性に起因して、連続的なプロセスにすることができない。前記最適化技法の別の制限は、ドライブ試験が、建物などの障害物に起因してデータトラフィックの約７０％が生成される屋内データではなく、ネットワークの屋外データにのみ制限されている、という点にある。従って、前記最適化技法は、シームレスなユーザー経験のために重要である屋内データを考慮することに失敗している。前記最適化技法の更に別の制限は、なんらの総合的な理由をも伴わない、迅速な時間の広がりにおける、複数回にわたる、チルト（電気的及び機械的なもの）及びＲＥＴ機能の手動的な変更にある。
【先行技術文献】
【非特許文献】
【０００７】
【非特許文献１】Ｍａｒｔｉｎ  Ｓａｕｔｅｒ著、Ｆｒｏｍ  ＧＳＭ  ｔｏ  ＬＴＥ  −  Ａｎ  Ｉｎｔｒｏｄｕｃｔｉｏｎ  ｔｏ  Ｍｏｂｉｌｅ  Ｎｅｔｗｏｒｋｓ  ａｎｄ  Ｍｏｂｉｌｅ  Ｂｒｏａｄｂａｎｄ”，  １ｓｔ  ｅｄ．  ＵＫ：  ５  Ｊｏｈｎ  Ｗｉｌｅｙ  ＆  Ｓｏｎｓ，  ２０１１
【非特許文献２】Ｊｏｈｎｓｏｎ  Ｉ  Ａｇｂｉｎｙａ、Ｍａｒｉ  Ｃａｒｍｅｎ  Ａｇｕａｙｏ−Ｔｏｒｒｅｓ、Ｒｙｓｚａｒｄ  Ｋｌｅｍｐｏｕｓ  及びＪａｎ  Ｎｉｋｏｄｅｍ著、４Ｇ  Ｗｉｒｅｌｅｓｓ  Ｃｏｍｍｕｎｉｃａｔｉｏｎ  Ｎｅｔｗｏｒｋｓ：  Ｄｅｓｉｇｎ，  ｐｌａｎｎｉｎｇ  ａｎｄ  ａｐｐｌｉｃａｔｉｏｎ”，  Ｒｉｖｅｒ  ｐｕｂｌｉｓｈｅｒ，  １０  ２０１３
【発明の概要】
【発明が解決しようとする課題】
【０００８】
従って、既存の／退出しつつある解決策に固有の上述の問題点を克服するべく、セルラーネットワークのエリア全体（屋内及び屋外）を監視するための、且つ、従って、全体ネットワークのすべてのパラメータを変更する代わりに乏しい品質のエリアを最適化するための、効率的なメカニズムに対するニーズが存在している。従って、乏しいＲＦ品質を有する少なくとも１つのカバレッジホールに（効果的に）サービスするべく、少なくとも１つのサービス基地局の少なくとも１つのセルパラメータを自動的に最適化する効果的なメカニズムに対するニーズが存在している。
【課題を解決するための手段】
【０００９】
本節は、詳細な説明において更に後述されている、本開示の特定の目的及び態様を概略的な形態において紹介するべく、提供されるものである。この概要は、特許請求されている主題の主要な特徴又は範囲を識別することを意図したものではない。
【００１０】
本開示の実施形態は、少なくとも１つのカバレッジホールにサービスするべく、少なくとも１つのサービス基地局の少なくとも１つのセルパラメータを自動的に最適化する方法に関しうる。方法は、少なくとも１つのサービス基地局の、少なくとも１つの第１パラメータ、少なくとも１つの第２パラメータ、少なくとも１つのネットワーク性能パラメータ、及び少なくとも１つのセルパラメータを受け取るステップであって、少なくとも１つの第２パラメータは、ＲＦカバレッジパワー（ＲＳＲＰ）及び信号対干渉ノイズ比（ＳＩＮＲ：Ｓｉｇｎａｌ−ｔｏ−Ｉｎｔｅｒｆｅｒｅｎｃｅ  Ｎｏｉｓｅ  Ｒａｔｉｏ）のうちの少なくとも１つを有する、ステップと、少なくとも１つのサービス基地局によってサービスされているカバレッジエリアから、少なくとも１つのカバレッジホールを識別するステップであって、少なくとも１つのカバレッジホールは、カバレッジエリアの少なくとも１つのネットワーク性能パラメータに基づいて識別されており、且つ、カバレッジホールは、少なくとも１つのサービス基地局によって不十分にサービスされている、ステップと、少なくとも１つのサービス基地局の少なくとも１つの第２パラメータの現時点の値を判定するステップであって、現時点の値は、少なくとも１つのカバレッジホールについて判定されている、ステップと、少なくとも１つのカバレッジホールにサービスするべく、少なくとも１つのサービス基地局の少なくとも１つのセルパラメータの第１最適化を実行するステップであって、第１最適化は、現時点の値と少なくとも１つのネットワーク性能パラメータのうちの少なくとも１つに基づいて実行されている、ステップと、第１最適化が実行された場合に、少なくとも１つのサービス基地局の少なくとも１つの第２パラメータの第１値を判定するステップと、第１値と少なくとも１つの第２パラメータのターゲット値の比較に基づいて第１最適化の最適化状態を生成するステップであって、状態は、成功した最適化と不成功の最適化のうちの１つを通知するステップと、少なくとも１つのカバレッジホールにサービスするべく、少なくとも１つのサービス基地局の少なくとも１つのセルパラメータの第２最適化を実行するステップであって、第２最適化は、最適化状態が不成功な最適化を通知している場合に、実行される、ステップと、を有する。
【００１１】
更には、本開示の実施形態は、少なくとも１つのカバレッジホールにサービスするべく、少なくとも１つのサービス基地局の少なくとも１つのセルパラメータを自動的に最適化するシステムをも包含する。システムは、少なくとも１つのサービス基地局の、少なくとも１つの第１パラメータ、少なくとも１つの第２パラメータ、少なくとも１つのネットワーク性能パラメータ、及び少なくとも１つのセルパラメータを受け取るように構成された、入力ユニットであって、少なくとも１つの第２パラメータは、ＲＦカバレッジパワー（ＲＳＲＰ）と信号対干渉ノイズ比（ＳＩＮＲ）のうちの少なくとも１つを有する、入力ユニットと、最適化ユニットであって、少なくとも１つのカバレッジホールが、カバレッジエリアの少なくとも１つのネットワーク性能パラメータに基づいて識別されおり、且つ、カバレッジホールが、少なくとも１つのサービス基地局によって不十分にサービスされている状態において、少なくとも１つのサービス基地局によってサービスされているカバレッジエリアから少なくとも１つのカバレッジホールを識別するように構成された、現時点の値が、少なくとも１つのカバレッジホールについて判定されている状態において、少なくとも１つのサービス基地局の少なくとも１つの第２パラメータの現時点の値を判定するように構成された、第１最適化が、現時点の値と少なくとも１つのネットワーク性能パラメータのうちの少なくとも１つに基づいて実行されている状態において、少なくとも１つのカバレッジホールにサービスするべく、少なくとも１つのサービス基地局の少なくとも１つのセルパラメータの第１最適化を実行するように構成された、第１最適化が実行された場合に少なくとも１つのサービス基地局の少なくとも１つの第２パラメータの第１値を判定するように構成された、状態が、成功した最適化と不成功な最適化のうちの１つを通知している状態において、第１値と少なくとも１つの第２パラメータのターゲット値の比較に基づいて第１最適化の最適化状態を生成するように構成された、且つ、第２最適化が、最適化状態が不成功な最適化を通知している場合に実行される状態において、少なくとも１つのカバレッジホールにサービスするべく、少なくとも１つのサービス基地局の少なくとも１つのセルパラメータの第２最適化を実行するように構成された、最適化ユニットと、を有する。
【００１２】
本明細書において包含されていると共に本開示の一部分を構成している、同一の参照符号が異なる図面の全体を通じて同一の部分を参照している、添付図面は、開示されている方法及びシステムの例示用の実施形態を示している。図面中のコンポーネントは、必ずしも、その縮尺が正確ではなく、その代わりに、本開示の原理の明瞭な図示に重点が置かれている。いくつかの図面は、ブロック図を利用してコンポーネントを示している場合があり、従って、それぞれのコンポーネントの内部回路を表していない場合がある。当業者は、このような図面の開示が、このようなコンポーネントを実装するべく一般に使用されている電気コンポーネント又は回路の開示を含むことを理解するであろう。
【図面の簡単な説明】
【００１３】
【図１】本開示の一実施形態による、カバレッジエリア［１１０］にサービスしている少なくとも１つのサービス基地局［１０２］を有する例示用のセルラーネットワークを示す。
【図２】本開示の一実施形態による、少なくとも１つのサービス基地局［１０２］の少なくとも１つのセルパラメータを最適化するシステムアーキテクチャ［２００］を示す。
【図３Ａ】本開示の一実施形態による、少なくとも１つのサービス基地局［１０２］の少なくとも１つのセルパラメータを最適化する方法を有する例示用の方法フロー図［３００］を示す。
【図３Ｂ】本開示の一実施形態による、少なくとも１つのサービス基地局［１０２］の少なくとも１つのセルパラメータを最適化する方法を有する例示用の方法フロー図［３００］を示す。
【発明を実施するための形態】
【００１４】
以下の記述においては、説明を目的として、本開示の実施形態の十分な理解を提供するべく、様々な特定の詳細事項について記述されている。但し、本開示の実施形態は、これらの特定の詳細事項を伴うことなしに、実施されうることが明らかであろう。以下において記述されているいくつかの特徴は、それぞれ、相互に独立的に、或いは、その他の特徴の任意の組合せと共に、使用することができる。個々の特徴は、上述の問題点の任意のものに対処していない場合があり、或いは、上述の問題点のうちの１つのみに対処している場合もあろう。上述の問題点のうちのいくつかは、本明細書において記述されている特徴のうちの任意のものにより、十分に対処されない場合もあろう。以下、同一の参照符号が異なる図面の全体を通じて同一の部分を参照している様々な図面において示されているところに従って、本開示の例示用の実施形態について説明する。
【００１５】
本開示の実施形態は、少なくとも１つのサービス基地局の少なくとも１つのセルパラメータを自動的に最適化するシステム及び方法に関しうるが、この場合に、少なくとも１つのサービス基地局は、（複数のセクタを収容する）カバレッジエリアにサービスしている。システムは、少なくとも１つのサービス基地局の、少なくとも１つの第１パラメータ、少なくとも１つの第２パラメータ、少なくとも１つのネットワーク性能パラメータ、及び少なくとも１つのセルパラメータなどの、複数のパラメータを受け取りうるが、この場合に、前記複数のパラメータは、ＬＴＥシステムマネージャ（ＬＳＭ：ＬＴＥ  Ｓｙｓｔｅｍ  Ｍａｎａｇｅｒ）及びユーザー装置などの１つ又は複数のデータソースから受け取ることができる。更には、システムは、カバレッジエリアの少なくとも１つのネットワーク性能パラメータに基づいて、カバレッジエリアから少なくとも１つのカバレッジホールを識別することができる。最適化が必要とされている少なくとも１つのカバレッジホールの識別に応じて、システムは、少なくとも１つのサービス基地局の少なくとも１つの第２パラメータの現時点の値を判定することができると共に、現時点の値に基づいて、少なくとも１つの第２パラメータのターゲット値を同時に定義することができる。更には、システムは、少なくとも１つのカバレッジホールにサービスするべく、少なくとも１つのセルパラメータの第１最適化を実行しうるが、この場合に、第１最適化は、現時点の値と少なくとも１つのネットワーク性能パラメータのうちの少なくとも１つに基づいて実行される。前記第１最適化に応じて、システムは、少なくとも１つのサービス基地局の少なくとも１つの第２パラメータの第１値（即ち、最適化された値）を判定しうるが、第１値は、前記第１最適化プロセスの実現の後の少なくとも１つの第２パラメータの値に対応している。次いで、システムは、第１値をターゲット値と比較することができると共に、従って、第１最適化の最適化状態を生成することができるが、この場合に、最適化状態は、成功した最適化と不成功の最適化を通知しうる。第１値がターゲット値とマッチングしている場合には、状態は、成功した最適化を通知しうる。この代わりに、状態は、第１値がターゲット値とマッチングしていない場合には、不成功な最適化を通知しており、これにより、最適化プロセスの第２の反復、即ち、第２の最適化、のニーズを結果的にもたらしうる。第２最適化プロセスは、第１最適化に類似した方式によって実行することができる。一実施形態においては、（少なくとも１つのカバレッジホールにサービスするべく）少なくとも１つのセルパラメータを最適化するプロセスは、成功した最適化が実現される時点まで、反復的に（最大で２回にわたって）継続することができる。
【００１６】
本明細書において使用されている「少なくとも１つのサービス基地局」は、ネットワークカバレッジを（地理的な）カバレッジエリアに提供する１つ又は複数のサービスセル／基地局を意味しうる。具体的には、カバレッジエリアは、少なくとも１つのサービス基地局が、無線信号を送信するように、且つ、セルラーサービスを提供するように、設計されている、許容可能なエリアであってよい。カバレッジエリアは、複数のセクタ（アップリンク及びダウンリンク）を有することができる。又、一実施形態においては、カバレッジエリアは、１つ又は複数のセルを有することができる。
【００１７】
本明細書において使用されている「少なくとも１つのカバレッジホール」は、接続を維持するには不十分である少なくとも１つネットワーク性能パラメータを有する特定のエリア／部分を意味していてもよく、即ち、少なくとも１つのカバレッジホールが、少なくとも１つのサービス基地局によって不十分にサービスされている。又、少なくとも１つのカバレッジホールは、ネットワークに対するアクセスを維持するには不十分なＲＦカバレッジ及びＲＦ品質を有する。
【００１８】
従って、少なくとも１つのカバレッジホールは、最適化が必要とされるターゲットエリア／ゾーンと呼称することもできる。更に詳しくは、且つ、図１に示されているように、少なくとも１つのサービス基地局［１０２］は、少なくとも１つのサービス基地局［１０２］のカバレッジ、即ち、カバレッジエリア［１１０］、内に存在している１つ又は複数のユーザー装置［１０６］にサービスするように構成することができる。但し、いくつかの例においては、少なくとも１つのサービス基地局［１０２］によってサービスされているカバレッジエリア［１１０］は、少なくとも１つのカバレッジホール（エリア）［１２０］を有していてもよく、カバレッジホール内においては、少なくとも１つのサービス基地局［１０２］は、（ｉ）少なくとも１つのサービス基地局［１０２］の経路内の建物［１０４］又は丘などの直接的な物理的障害物、（ｉｉ）不適切なアンテナパラメータ及び不十分な高周波（ＲＦ）計画、及び（ｉｉｉ）十分な送信パワーを欠いたエリアの大きな距離及び／又は地形／付随特性に起因して、ユーザー装置［１０２］にサービスすることが不能でありうる。従って、少なくとも１つのカバレッジホール［１２０］内においては、ユーザー装置［１０６］は、不十分なセルラーネットワーク強度に起因して、少なくとも１つのサービス基地局［１０２］との接続を維持することができなくなりうると共に、その結果、通話ドロップ及び無線リンク障害（ＲＬＦ）を経験しうる。又、カバレッジエリア［１１０］における少なくとも１つの第２パラメータは、少なくとも１つのカバレッジホール［１２０］における少なくとも１つの第２パラメータとは異なりうる。「カバレッジホール」、「カバレッジエリア」、「ＲＦカバレッジホール／エリア」、及び「乏しいＲＦ品質のエリア」などの用語は、本開示の全体を通じて、相互交換可能に使用されている。
【００１９】
本明細書において使用されている「ユーザー装置［１０６］」は、限定を伴うことなしに、スマートフォン、フィーチャフォン、タブレット、ファブレット、及び、当業者には明らかである任意のこのような装置を意味しうる。更には、ユーザー装置［１０６］は、キーボード、オペレーティングシステム、メモリユニット、表示インターフェイスなどのような入力手段を有しうる。これに加えて、ユーザー装置［１０６］は、少なくとも１つの第２パラメータを共有するべく、システム及びＬＴＥシステムマネージャ（ＬＳＭ）と通信するように構成することができる。
【００２０】
本明細書において使用されている「ＬＴＥシステムマネージャ（ＬＳＭ）」は、ネットワークの物理パラメータを構成する、且つ、ＳＯＮ（Ｓｅｌｆ−Ｏｒｇａｎｉｚｉｎｇ  Ｎｅｔｗｏｒｋ）サーバーとして機能する、能力を有する、事業者／ユーザーとの間のインターフェイスを意味しうるが、この場合に、物理パラメータは、限定を伴うことなしに、アンテナ高さ、方位角、サイト場所、機械チルト、及び電気チルトを含みうる。更には、ＬＳＭは、セルラーエリア内に存在しているそれぞれのｅＮｏｄｅＢと接続することができる。更には、ＬＳＭは、少なくとも１つの第１パラメータ、少なくとも１つのセルパラメータ、及び少なくとも１つのネットワーク性能パラメータを共有するべく、システム及びユーザー装置［１０６］と通信するように構成することもできる。一実施形態においては、ＬＳＭは、少なくとも１つのセルパラメータを受け取るべく、１つ又は複数のセルサイトと通信するように構成することができる。別の実施形態においては、ＬＳＭは、所定の時間インターバルの期間にわたって、少なくとも１つの第１パラメータ、少なくとも１つの第２パラメータ、少なくとも１つの第２パラメータ、及び少なくとも１つのセルパラメータによって更新されうるが、この場合に、時間インターバルは、固定されたものであってもよく、或いは、動的なものであってもよい。
【００２１】
「少なくとも１つの第１パラメータ」は、ドライブ試験計測データ、基準信号（ＲＳ：Ｒｅｆｅｒｅｎｃｅ  Ｓｉｇｎａｌ）強度、ＭＣＳ、通話ドロップレート、少なくとも１つのサービス基地局のカバレッジ、少なくとも１つのサービス基地局のキャパシティ、少なくとも１つのサービス基地局のＱＯＳ、アンテナ高さ、アンテナ幅、方位角、アンテナビーム幅、少なくとも１つのサービス基地局のリソース利用率、及び物理的なセルアイデンティティ、のうちの少なくとも１つを有することができる。これに加えて、少なくとも１つの第１パラメータは、障害管理に関係するパラメータ及び当業者には明らかでありうる任意のこのような情報を有することができる。
【００２２】
「少なくとも１つの第２パラメータ」は、ＲＦカバレッジパワー（ＲＳＲＰ）、信号対干渉ノイズ比（ＳＩＮＲ）、基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、少なくとも１つのサービス基地局の物理セルＩＤ（ＰＣＩ：Ｐｈｙｓｉｃａｌ  Ｃｅｌｌ  Ｉｄ）、及び少なくとも１つのサービス基地局のジオロケーション、のうちの少なくとも１つを有しうる。これに加えて、少なくとも１つの第２パラメータは、ユーザー装置スケジューリング、リソース利用率、及び当業者には明らかでありうる任意のこのような情報を有することができる。
【００２３】
「少なくとも１つのネットワーク性能パラメータ」は、（ユーザー密度とも呼称される）アクティブユーザー、ＲＲＣ接続ユーザー、セル有効ＤＬスループット、セル有効ＵＬスループット、チャネル品質インジケータ（ＣＱＩ：Ｃｈａｎｎｅｌ  Ｑｕａｌｉｔｙ  Ｉｎｄｉｃａｔｏｒ）、及びＰＲＢ利用百分率の、のうちの少なくとも１つを有することができる。
【００２４】
これに加えて、以下の表（表１）は、少なくとも１つのネットワーク性能パラメータのうちのいくつかのものの主要な定義を示している。
【００２５】
【表１】
2021524168.tif 000003
【００２６】
「少なくとも１つのセルパラメータ」は、電気チルト、機械チルト、及びパワー減衰、のうちの少なくとも１つを有することができる。更には、少なくとも１つのアンテナパラメータは、現時点の値、第１値、及び第２値、のうちの少なくとも１つを有しうるが、この場合に、現時点の値は、最適化の前の少なくとも１つのセルパラメータの値に対応しうる一方で、第１値及び第２値は、最適化の後の少なくとも１つのセルパラメータの値に対応しうる。
【００２７】
本明細書において使用されている「第１最適化及び第２最適化」は、最適化状態が、成功した最適化を通知する時点まで、即ち、第１値がターゲット値にマッチングする時点まで、（少なくとも１つのカバレッジホール［１２０］にサービスするべく）少なくとも１つのセルパラメータを最適化するプロセスを意味しうる。更には、それぞれの最適化プロセスごとに、少なくとも１つの第２パラメータの現時点の値が判定され、且つ、前記少なくとも１つの第２パラメータのターゲット値は、少なくとも１つの第２パラメータの現時点の値に基づいて定義されている。これに加えて、前記最適化プロセスは、カバレッジエリア［１１０］からの少なくとも１つのカバレッジホール［１０８］の軽減を結果的にもたらし、これにより、セルラーネットワークを最適化することができると共に、改善されたユーザー経験を実現することができる。
【００２８】
図２は、本開示の一実施形態による、少なくとも１つのサービス基地局［１０２］の少なくとも１つのセルパラメータを最適化することにより、少なくとも１つのサービス基地局［１０２］によってサービスされている少なくとも１つのカバレッジホール［１２０］のカバレッジを最適化するシステムアーキテクチャ［２００］を示している。図示されているように、システム［２００］は、入力ユニット［２０２］と、加重型のトラフィックユニット［２０４］と、最適化ユニット［２１０］と、を有しうるが、この場合に、入力ユニット［２０２］は、複数のパラメータ／情報を受け取るべく、ＬＴＥシステムマネージャ（ＬＳＭ）［２１０］及びユーザー装置［１０６］などのデータ供給源に接続することができる。更には、入力ユニット［２０２］、加重型のトラフィックユニット［２０４］、及び最適化ユニット［２０６］、データ供給源［２１０、１０６］、並びに、これらの内部のサブコンポーネントは、関連状態において機能するように、且つ、本開示の目的を実現するべく個々の機能を提供するように、構成することができる。システム［２００］は、限定を伴うことなしに、少なくとも１つのサービス基地局［１０２］、マクロ基地局（ＬＴＥ用語の場合には、ｅＮｏｄｅＢと呼称される）、マイクロ基地局、並びに、小規模セル及び屋外小規模セルを含む、ネットワークエンドにおいて存在しうる。
【００２９】
入力ユニット［２０２］は、ＬＳＭ［２１０］及びユーザー装置［１０６］のうちの少なくとも１つから、少なくとも１つのサービス基地局［１０２］の、少なくとも１つの第１パラメータ、少なくとも１つの第２パラメータ、少なくとも１つのネットワーク性能パラメータ、及び少なくとも１つのセルパラメータを受け取るように、構成することができる。本発明は、システム［２００］内における自動更新及び手動更新のうちの１つを通じた前記パラメータの受け取りを包含している。その後に、入力ユニット［２０２］は、前記パラメータを加重型のトラフィックユニット［２０４］に送信するように構成することができる。
【００３０】
加重型のトラフィックユニット［２０４］は、少なくとも１つの第１パラメータ、少なくとも１つの第２パラメータ、及び少なくとも１つのネットワーク性能パラメータを分析するように構成することができる。好適な一実施形態においては、加重型のトラフィックユニット［２０４］は、カバレッジエリア［１１０］の複数のセクタのそれぞれごとに少なくとも１つのネットワーク性能パラメータを分析するように、且つ、重みを複数のセクタのそれぞれに相応して割り当てるように、構成することができる。例示用の一シナリオにおいては、重みは、相対的に少ない数のユーザーを有するセクタとの比較において、相対的に多くの数のユーザーを有するセクタに、相対的に大きな重みが割り当てられうるように、ユーザー密度に基づいて複数のセクタに割り当てることができる。更に別の例示用のシナリオにおいては、重みは、ＲＲＣ接続ユーザーやアクティブユーザーの数などに基づいて、複数のセクタに割り当てることができる。加重型のトラフィックユニット［２０４］は、（複数のセクタのそれぞれごとのネットワーク性能パラメータと共に、割り当てられた重みを有する（「カバレッジエリア［１１０］の）複数のセクタを有する）前記分析を最適化ユニット［２０６］に送信するように構成することができる。一実施形態においては、加重型のトラフィックユニット［２０４］は、加重型のトラフィックユニット［２０４］によって生成されたトラフィックレポートの形態において、前記分析を最適化ユニット［２０６］に送信するように構成されうるが、この場合に、トラフィックレポートは、複数のセクタのそれぞれごとのネットワーク性能パラメータと共に、（割り当てられた重みを有する）複数のセクタを表しうる。例示用の一実施形態においては、トラフィックレポートは、マップ及び当業者には明らかとなりうる任意のこのようなフォーマットのうちの１つにおいて生成されてもよく、この場合に、レポートされるトラフィックは、限定を伴うことなしに、ユーザー装置緯度、ユーザー装置経度、基準信号受信パワー、基準信号品質、及び物理セルアイデンティティを含む、ユーザー装置トレースデータを使用することにより、マップフォーマットにおいて生成されている。
【００３１】
加重型のトラフィックユニット［２０４］から受け取られた分析に基づいて、最適化ユニット［２０６］は、（複数のセクタを含む）カバレッジエリア［１１０］から、すくなくとも１つのカバレッジホール［１２０］を識別するように構成されていてもよく、即ち、最適化ユニット［２０６］は、複数のセクタから、最適化を必要としている少なくとも１つのカバレッジホール［１２０］を識別するように構成することができる。一実施形態においては、最適化ユニット［２０６］は、以下の基準を使用することにより、少なくとも１つのカバレッジホール［１２０］を識別することができる。
ダウンリンクチャネル品質インジケータ（ＤＬ＿ＣＱＩ）＜８、及び、
無線リソース制御＿接続ユーザー（ＲＲＣ＿接続ユーザー）＞１０
【００３２】
一実施形態においては、最適化ユニット［２０６］は、前記ネットワーク性能パラメータの分析に基づいて、カバレッジエリア［１１０］から最良のカバレッジ部分／プロットを識別するように構成することができる。
【００３３】
更には、最適化ユニット［２０６］は、いまや、少なくとも１つのカバレッジホール［１２０］の少なくとも１つの第２パラメータの現時点の値を判定するように構成されうるが、この場合に、現時点の値は、最適化の前の少なくとも１つの第２パラメータの値に対応しうる。少なくとも１つの第２パラメータは、限定を伴うことなしに、少なくとも１つのカバレッジホール［１２０］におけるＲＦカバレッジパワー（ＲＳＲＰ）及び信号対干渉ノイズ比（ＳＩＮＲ）を含みうるが、この場合に、ＲＳＲＰは、少なくとも１つのカバレッジホール［１２０］のカバレッジを通知しうると共に、ＳＩＮＲは、少なくとも１つのカバレッジホール［１２０］のオーバーラップ／オーバーシュートを通知しうる。例示用の一実施形態においては、現時点の値は、少なくとも１つの第２パラメータの初期／現時点の中央値、即ち、ＲＳＲＰ及びＳＩＮＲの中央値、に対応しうる。これに加えて、最適化ユニット［２０６］は、少なくとも１つのカバレッジホール［１２０］の少なくとも１つの第２パラメータのターゲット値を定義するように構成されうるが、この場合に、ターゲット値は、現時点の値に基づいて定義することができる。例えば、ターゲット値は、少なくとも１つのカバレッジホール［１２０］に必要とされている最適化のレベルを通知する、少なくとも１つのカバレッジホール［１２０］の現時点の状態を考慮することにより、定義することができる。例示用の一シナリオにおいては、ターゲット値は、以下のように定義することができる。
ＲＳＲＰターゲット値≧−９５ｄＢｍ、及び、
ＳＩＮＲターゲット値≧（現時点の値＋１）ｄＢ
【００３４】
更には、最適化ユニット［２０６］は、少なくとも１つのカバレッジホール［１２０］にサービスするべく、少なくとも１つのセルパラメータの第１最適化を実行するように構成されていてもよく、この場合に、第１最適化は、少なくとも１つの第２パラメータの現時点の値と少なくとも１つのネットワーク性能パラメータのうちの少なくとも１つに基づいて実行される。具体的には、最適化ユニット［２０６］は、少なくとも１つの第２パラメータの値を少なくとも１つの第２パラメータのターゲット値に匹敵する／近接するようにする、という意図を伴って、（電気チルト及び送信パワー減衰などの）少なくとも１つのパラメータの値を最適化するように構成することができる。一実施形態においては、電気チルトは、（ｉ）少なくとも１つのカバレッジホール［１２０］からの少なくとも１つのサービス基地局［１０２］の距離、（ｉｉ）最良のカバレッジ部分／プロットによってカバーされている少なくとも１つのカバレッジホール［１２０］のエリア、並びに、（ｉｉｉ）少なくとも１つのサービス基地局［１０２］の高さに基づいて、判定することができる。電気チルトの変化は、以下の表記法を使用することにより、判定することができる。
電気チルトの変化＝ＡｒｃＴａｎ｛（（セル高さ＋セル位置における平均海水面）−（レシーバ高さ＋レシーバ位置における平均海水面）／（カバレッジホールからのセルの距離）｝−ＡｒｃＴａｎ｛（（セル高さ＋セル位置における平均海水面）−（レシーバ高さ＋レシーバ位置における平均海水面））／（カバレッジホール内に位置するセル最良サーバープロットの最も遠い地点の距離）｝
【００３５】
更には、最適化ユニット［２０６］は、少なくとも１つの第２パラメータの第１値を判定するように構成されうるが、この場合に、第１値は、第１最適化の実現の後の、少なくとも１つの第２パラメータの値に対応しうる。この結果、最適化ユニット［２０６］は、第１最適化が成功裏に実行されたかどうかをチェックするべく、第１値及びターゲット値を比較するように構成することができる。従って、前記比較に基づいて、最適化ユニット［２０６］は、第１最適化の最適化状態を生成するように構成することができる。第１値がターゲット値にマッチングしている場合には、最適化状態は、成功した最適化を通知しており、これにより、少なくとも１つのサービス基地局［１０２］は、いまや、少なくとも１つのカバレッジホール［１２０］（即ち、少なくとも１つのカバレッジホール［１０８］）に十分にサービスしうることを通知している。第１値がターゲット値にマッチングしていない場合には、最適化状態は、不成功な最適化を通知しており、これにより、第２の最適化を結果的にもたらす。第２最適化を実行しつつ、最適化ユニット［２０６］は、少なくとも１つの第２パラメータの第１値、少なくとも１つのネットワーク性能パラメータ、及び少なくとも１つの第２パラメータのターゲット値、のうちの少なくとも１つに基づいて、（ｍ−チルト及び方位角などの）少なくとも１つのセルパラメータを最適化するように構成することができる。第２最適化の実現に応じて、最適化ユニット［２０６］は、ターゲット値と更に比較されうる少なくとも１つの第２パラメータの第２値を判定するように、構成することができる。同様に、第２値がターゲット値とマッチングしている場合には、最適化状態は、成功した最適化を通知しうる一方で、第２値がターゲット値とマッチングしていない場合には、最適化状態は、不成功な最適化を通知しうる。一実施形態においては、ターゲット値は、第１値及び以前のターゲット値に基づいて第２最適化のために再定義されうるが、この場合に、第１値は、いまや、第２最適化用の現時点の値と呼称されうる。
【００３６】
本発明は、アクションを実行するべく、主要な評価パラメータの分析を更に包含しており、この場合に、アクションは、第１最適化及び第２最適化における少なくとも１つのサービス基地局［１０２］の少なくとも１つのセルパラメータの最適化の変更／変化を含み、即ち、前記アクションは、少なくとも１つのセルパラメータを再度最適化するステップを含みうる。前記主要評価パラメータは、少なくとも１つの第１セルパラメータ及び少なくとも１つの第２パラメータから広く選択することができる。以下の例示用の表は、最適化に対する主要評価パラメータの効果を示しており、この場合に、主要評価パラメータは、ＲＳＲＰ、ＳＩＮＲ、ＭＣＳ、通話ドロップレート、ハンドオーバー成功レート、ハンドオーバーの数、ＲＲＣ再確立、性能管理（ＰＭ：Ｐｅｒｆｏｒｍａｎｃｅ  Ｍａｎａｇｅｍｅｎｔ）、構成管理［ＣＭ：Ｃｏｎｆｉｇｕｒａｔｏｎ  Ｍａｎａｇｅｍｅｎｔ］、オペレーティングサポートシステム（ＯＳＳ：Ｏｐｅｒａｔｉｎｇ  Ｓｕｐｐｏｒｔ  Ｓｙｓｔｅｍ）として、選択することができる。
【００３７】
【表２】
2021524168.tif 000004
【００３８】
上述の表（表２）において示されているように、主要評価パラメータ及び少なくとも１つのカバレッジホール［１２０］の変動に基づいて、異なるアクションを実行することができる。例えば、理想的状態は、主要評価パラメータが、カバレッジホールがないことに伴って改善している、イベントに対応しうるが、これは、カバレッジホールがゼロであることに起因して、「ペンディング状態のアクションが存在していない」ことを通知している。主要評価パラメータにおける、のみならず、少なくとも１つのカバレッジホール［１２０］における、悪化が存在している、別の例示用のシナリオにおいては、前記アクションは、電気チルトの以前の変化の５０％だけ、少なくとも１つのセルパラメータ（電気チルト角度）を低減するステップを含みうるが、電気チルトの以前の変化が最小値である場合には、ＰＤＳＣＨ  ＥＰＲＥの２〜１．５倍だけ、ＲＳパワー／送信パワーを低減することができる。
【００３９】
更には、一実施形態においては、最適化ユニット［２０６］は、相対的に良好な最適化結果を得るべく、少なくとも１つの第１パラメータ、少なくとも１つの第２パラメータ、少なくとも１つのネットワーク性能パラメータ、及び少なくとも１つのセルパラメータを監視するように構成することができる。
【００４０】
２３個のサイトを有する７ｋｍ２のエリアのクラスタの例示用の一シナリオにおいては、これらのサイトは、（ｉ）１０ＭＨｚ／２０ＭＨｚチャネル帯域幅を有する２３００ＭＨｚ、（ｉｉ）５ＭＨｚチャネル帯域幅を有する１８００ＭＨｚ、及び（ｉｉｉ）５ＭＨｚチャネル帯域幅を有する８５０ＭＨｚ、という３つの帯域において動作することができる。本明細書においては、最適化ユニット［２０６］は、第１最適化が成功したかどうかをチェックするべく、現在の値と以下のパラメータの第１値を比較するように構成することができる。
【００４１】
【表３】
2021524168.tif 000005
【００４２】
比較（上述の表３において示されているもの）に基づいて、以下のことを観察することができる。
ｉ．合計トラフィックは、少なくとも１つのカバレッジホール［１２０］について、すべての帯域のうちにおいて、８２ＧＢだけ、増大しており、
ｉｉ．セル有効スループット及びユーザー知覚ダウンリンク（ＤＬ）スループットは、それぞれ、４．８％及び８．３％だけ、改善しており、
ｉｉｉ．平均受信ＣＱＩ、ＲＩ、及びＭＣＳは、それぞれ、５．１％、２．５％、及び４．２％だけ、改善しており、且つ、
ｉｖ．ＶｏＬＴＥ通話ドロップレートは、わずかに改善している。
【００４３】
図３Ａ及び図３Ｂは、本開示の一実施形態による、少なくとも１つのサービス基地局［１０２］の少なくとも１つのセルパラメータを最適化することにより、少なくとも１つのサービス基地局［１０２］によって非効率的にサービスされている少なくとも１つのカバレッジホール［１２０］のカバレッジを最適化する方法を有する例示用の方法フロー図［３００］を示している。方法［３００］は、ステップ３０２において始まりうるが、この場合に、少なくとも１つのサービス基地局［１０２］は、カバレッジエリア［１１０］の任意の部分、即ち、カバレッジホール［１２０］、に適切にサービスしていない場合があり、この場合に、カバレッジエリア［１１０］は、複数のセクタを有することができる。
【００４４】
ステップ３０４において、入力ユニット［２０２］は、ＬＳＭ［２１０］及びユーザー装置［１０６］のうちの少なくとも１つから、少なくとも１つのサービス基地局［１０２］の、少なくとも１つの第１パラメータ、少なくとも１つの第２パラメータ、少なくとも１つのネットワーク性能パラメータ、及び少なくとも１つのセルパラメータを受け取ることができる。前記パラメータは、システム［２００］における自動更新及び手動更新のうちの１つを通じて受け取ることができる。その後に、前記パラメータは、加重型のトラフィックユニット［２０４］に送信することができる。
【００４５】
ステップ３０６において、加重型のトラフィックユニット［２０４］は、少なくとも１つの第１パラメータ、少なくとも１つの第２パラメータ、及び少なくとも１つのネットワーク性能パラメータを分析することができる。好適な一実施形態においては、加重型のトラフィックユニット［２０４］は、カバレッジエリア［１１０］の複数のセクタのそれぞれごとに、少なくとも１つのネットワーク性能パラメータを分析することができる。
【００４６】
ステップ３０８において、加重型のトラフィックユニット［２０４］は、少なくとも１つのネットワーク性能パラメータの分析に基づいて、複数のセクタのそれぞれに重みを割り当てることができる。例示用の一シナリオにおいては、重みは、ユーザー密度に基づいて複数のセクタに割り当てられうる一方で、別の例示用のシナリオにおいては、重みは、ＲＲＣ接続ユーザーやアクティブユーザーの数などに基づいて複数のセクタに割り当てることができる。その後に、（複数のセクタのそれぞれごとのネットワーク性能パラメータと共に、割り当てられた重みを有する複数のセクタを有する）前記分析を最適化ユニット［２０６］に送信することができる。一実施形態においては、加重型のトラフィックユニット［２０４］は、加重型のトラフィックユニット［２０４］によって生成されたトラフィックレポートの形態において、前記分析を送信しうるが、この場合に、トラフィックレポートは、マップ及び当業者には明らかとなりうる任意のこのようなフォーマットのうちの１つにおいて生成されてもよく、この場合に、レポートされるトラフィックは、限定を伴うことなしに、ユーザー装置緯度、ユーザー装置経度、基準信号受信パワー、基準信号品質、及び物理セルアイデンティティなどを含むユーザー装置トレースデータを使用することにより、マップフォーマットにおいて生成されている。
【００４７】
ステップ３１０において、最適化ユニット［２０６］は、加重型のトラフィックユニット［２０４］から受け取られた分析に基づいて、（複数のセクタを収容する）カバレッジエリア［１１０］から、少なくとも１つのカバレッジホール［１２０］を識別してもよく、即ち、最適化ユニット［２０６］は、カバレッジエリア［１１０］内において収容されている複数のセクタから、最適化を必要としている少なくとも１つのカバレッジホール［１２０］を識別することができる。一実施形態においては、最適化ユニット［２０６］は、以下の基準を使用することにより、少なくとも１つのカバレッジホール［１２０］を識別することができる。
ダウンリンクチャネル品質インジケータ（ＤＬ＿ＣＱＩ）＜８、及び、
無線リソース制御＿接続ユーザー（ＲＲＣ＿接続ユーザー）＞１０
【００４８】
一実施形態においては、最適化ユニット［２０６］は、前記ネットワーク性能パラメータの分析に基づいて、カバレッジエリア［１１０］から、最良のカバレッジ部分／プロットを識別することができる。
【００４９】
ステップ３１２において、最適化ユニット［２０６］は、いまや、少なくとも１つのカバレッジホール［１２０］の少なくとも１つの第２パラメータの現時点の値を判定しうるが、この場合に、現時点の値は、最適化前の少なくとも１つの第２パラメータの値に対応しうる。少なくとも１つの第２パラメータは、限定を伴うことなしに、少なくとも１つのカバレッジホール［１２０］におけるＲＦカバレッジパワー（ＲＳＲＰ）及び信号対干渉ノイズ比（ＳＩＮＲ）を含みうる。例示用の一実施形態においては、現時点の値は、少なくとも１つの第２パラメータの初期／現時点の中央値、即ち、ＲＳＲＰ及びＳＩＮＲの中央値、に対応しうる。
【００５０】
ステップ３１４において、最適化ユニット［２０６］は、少なくとも１つのカバレッジホール［１２０］の少なくとも１つの第２パラメータのターゲット値を定義しうるが、この場合に、ターゲット値は、現時点の値に基づいて定義することができる。例えば、ターゲット値は、少なくとも１つのカバレッジホール［１２０］について必要とされている最適化のレベルを通知する、少なくとも１つのカバレッジホール［１２０］の現時点の状態を考慮することにより、定義することができる。例示用の一シナリオにおいて、ターゲット値は、以下のように定義することができる。
ＲＳＲＰターゲット値≧−９５ｄＢｍ、及び、
ＳＩＮＲターゲット値≧（現時点の値＋１）ｄＢ
【００５１】
ステップ３１６において、最適化ユニット［２０６］は、少なくとも１つのカバレッジホール［１２０］にサービスするべく、少なくとも１つのセルパラメータの第１最適化を実行してもよく、この場合に、第１最適化は、少なくとも１つの第２パラメータの現時点の値と少なくとも１つのネットワーク性能パラメータのうちの少なくとも１つに基づいて実行される。一実施形態においては、電気チルトは、（ｉ）少なくとも１つのカバレッジホール［１２０］からの少なくとも１つのサービス基地局［１２０］の距離、（ｉｉ）最良の部分／プロットによってカバーされている少なくとも１つのカバレッジホール［１２０］のエリア、及び（ｉｉｉ）少なくとも１つのサービス基地局［１０２］の高さに基づいて判定することができると共に、電気チルトの変化は、以下の表記法を使用することにより、判定することができる。
電気チルトの変化＝ＡｒｃＴａｎ｛（（セル高さ＋セル位置における平均海水面）−（レシーバ高さ＋レシーバ位置における平均海水面）／（カバレッジホールからのセルの距離）｝−ＡｒｃＴａｎ｛（（セル高さ＋セル位置における平均海水面）−（レシーバ高さ＋レシーバ高さにおける平均海水面））／（カバレッジホール内に位置しているセル最良サーバープロットの最も遠い地点の距離）｝
【００５２】
ステップ３１８において、最適化ユニット［２０６］は、少なくとも１つの第２パラメータの第１値を判定しうるが、この場合に、第１値は、第１最適化の実現の後の少なくとも１つの第２パラメータの値に対応しうる。次いで、最適化ユニット［２０６］は、第１最適化が成功裏に実行されたかどうかをチェックするべく、第１値及びターゲット値を比較することができる。従って、前記比較に基づいて、最適化ユニット［２０６］は、第１最適化の最適化状態を生成することができる。第１値がターゲット値にマッチングしている場合には、最適化状態は、成功した最適化を通知しており、且つ、方法［３００］は、ステップ［３２４］に結び付きうる。逆に、第１値がターゲット値とマッチングしてはいない場合には、最適化状態は、不成功な最適化を通知しており、且つ、方法［３００］は、ステップ［３２０］に結び付きうる。
【００５３】
ステップ３２０において、最適化ユニット［２０６］は、第１値がターゲット値にマッチングしていない場合には、第２最適化を実行することができる。第２最適化を実行しつつ、最適化ユニット［２０６］は、少なくとも１つの第２パラメータの第１値、少なくとも１つのネットワーク性能パラメータ、及び少なくとも１つの第２パラメータのターゲット値のうちの少なくとも１つに基づいて、（ｍ−チルト及び方位角などの）少なくとも１つのセルパラメータを最適化することができる。
【００５４】
ステップ３２２において、最適化ユニット［２０６］は、ターゲット値と更に比較されうる、少なくとも１つの第２パラメータの第２値を判定することができる。一実施形態においては、ターゲット値は、第１値及び以前のターゲット値に基づいて第２最適化について再定義されうるが、この場合に、第１値は、いまや、第２最適化用の現時点の値と呼称することができる。従って、前記比較に基づいて、最適化ユニット［２０６］は、第２最適化の最適化状態を生成することができる。第２値がターゲット値にマッチングしている場合には、最適化状態は、成功した最適化を通知しており、且つ、方法［３００］は、ステップ［３２４］に結び付きうる。逆に、第２値がターゲット値とマッチングしていない場合には、最適化状態は、不成功な最適化を通知しており、且つ、方法［３００］は、ステップ［３２６］において終了しうる。
【００５５】
ステップ３２４において、最適化ユニットは、アクションを実行するべく、主要評価パラメータ（表２において列挙されているもの）を分析しうるが、この場合に、アクションは、第１最適化及び第２最適化における少なくとも１つのサービス基地局［１０２］の少なくとも１つのセルパラメータの最適化の変更／変化を含み、即ち、前記アクションは、少なくとも１つのセルパラメータを再度最適化するステップを含みうる。主要評価パラメータにおける、のみならず、少なくとも１つのカバレッジホール［１２０］における、悪化が存在している例示用の一シナリオにおいては、アクションは、電気チルトの以前の変化の５０パーセントだけ、少なくとも１つのセルパラメータ（電気チルト角）を低減するステップを含みうる。更には、方法［３００］は、ステップ３２６において終了しうるが、この場合に、少なくとも１つのサービス基地局［１０２］は、いまや、第１最適化及び第２最適化のうちの少なくとも１つのものの成功的な実現に応じて、少なくとも１つのカバレッジホール［１２０］に十分にサービスすることができる。
【００５６】
従って、本開示は、少なくとも１つのカバレッジホール［１２０］に効率的にサービスするべく、少なくとも１つのサービス基地局［１０２］の少なくとも１つのセルパラメータを自動的に最適化するシステム及び方法を包含する。又、本開示は、少なくとも１つのカバレッジホール［１２０］内のなんらのレイテンシー及び通話ドロップをも伴わないシームレスなサービスを提供することにより、少なくとも１つのカバレッジホール［１２０］を軽減し、これにより、全体的なユーザー経験を改善するステップをも包含する。従って、本開示は、少なくとも１つのセルパラメータの最適化を実行するための複数のパラメータの評価を包含する。
【００５７】
限られた数のユーザー装置［１０６］、入力装置［２０２］、加重型のトラフィックユニット［２０４］、最適化ユニット［２０６］、少なくとも１つのサービス基地局［１０２］、及びその内部のサブコンポーネントが、図示されているが、当業者は、本開示のシステム［２００］は、当業者には明らかとなりうる、任意の数及び様々なタイプのコンポーネント／モジュール及びその他のコンポーネント／サブシステムを包含することを理解するであろう。
【００５８】
本明細書においては、開示されている実施形態に対して相当な重点が配置されているが、本開示の原理を逸脱することなしに、多くの実施形態が実施されうると共に、多くの変化が実施形態に対して実施されうる、ことを理解されたい。本開示の実施形態におけるこれらの及びその他の変化については、当業者に明らかとなり、これにより、実装を要する上述の説明事項は、限定ではなく、例示を目的としたものであることを理解されたい。
【図１】
2021524168.tif 000006
【図２】
2021524168.tif 000007
【図３Ａ】
2021524168.tif 000008
【図３Ｂ】
2021524168.tif 000009
【国際調査報告】
2021524168.tif 000010
2021524168.tif 000011